(57)【要約】【課題】  静電吸着搬送におけるインクへの帯電を防止する。【解決手段】  搬送ベルトに、ゼロの電位に対して極性の異なる同電位差の電位を交互に与えて静電吸着を行うと共に、低抵抗の導電層を有する記録媒体にてシールドを行うことによりインクへの帯電を防止する。【選択図】  図１
2007144789.tif 000002
【特許請求の範囲】
【請求項１】
２種類の電位を有する電極を交互に配置する構成の搬送ベルトに記録紙を静電吸着させて搬送を行う記録紙搬送方式において、記録紙に導電層を有することを特徴とするインクジェット記録装置の記録紙搬送方式。
【請求項２】
前記搬送ベルトの２種類の電極の電位は、ゼロの電位に対して極性異なる同じ電位差の電位を印加して記録紙を静電吸着することを特徴とする請求項１に記載のインクジェット記録装置の記録紙搬送方式。
【請求項３】
２種類の電位を有する電極を交互に配置する構成の搬送ベルトに記録紙を静電吸着させて搬送を行う記録紙搬送方式において、記録紙に導電層を有することを特徴とするインクジェット記録紙。
【請求項４】
前記導電層は複数の層で構成されることを特徴とする請求項３に記載のインクジェット記録紙。
【請求項５】
前記導電層の抵抗値は、導電層内で電位の分布を持たないような低い抵抗値であることを特徴とする請求項３，４に記載のインクジェット記録紙。
【発明の詳細な説明】
【技術分野】
【０００１】
本発明は静電吸着方式にて記録紙を搬送する装置と記録紙に関するものである。
【背景技術】
【０００２】
デジタル方式の複写機，プリンタの実用化が急速に進んでおり、特に、デジタル方式のカラープリンタ，カラー複写機は、色調整，画像加工等が容易というデジタルの特徴が生かされるため、カラープリンタ，カラー複写機の分野では主流となりつつある。
【０００３】
これら記録装置の記録方式としては、電子写真方式，インクジェット方式，熱転写方式等、種々の方式があるが、装置価格と記録品質とランニングコストの３つの要素に対してインクジェット方式が一番適しているため、家庭用プリンタのような安価な装置から広く普及し、現在はオフィスの分野にも普及している。
【０００４】
近年のインクジェット記録装置では高速化のため、記録紙幅以上の長さの長尺インクジェット記録ヘッドを用い、その記録ヘッドの下を記録媒体を搬送させながら記録を行うインクジェット記録装置が普及し始めてきた。  この方式装置において記録媒体を搬送する手段として搬送ベルトに静電吸着させて搬送させる方式が有る。
【０００５】
図３に装置構成概要図を示す。
【０００６】
図３において１１は長尺インクジェット記録ヘッドで、本図では４本で構成した例を示す。１２は静電吸着用電極を有する搬送ベルトで静電吸着用電極への給電は内側より行う構成の例を示す。１３は搬送ベルトを回転させるための搬送ローラで３つの搬送ローラで構成される。１４は搬送ベルトの静電吸着用電極に給電する給電部、ＳＴは記録媒体である。
【０００７】
記録媒体ＳＴは図３に示さない給紙部より搬送ベルト12に給紙され、給電部14より給電された搬送ベルト12に静電吸着されて左方向に搬送しながら長尺インクジェット記録ヘッド１１にて記録を行う。記録が終わった記録媒体ＳＴは本図に示さない排紙部に排紙される。
【０００８】
図４（ａ）は搬送ベルト12を装置上面から見た図、図４(ｂ)は搬送ベルト12と給電部14を記録装置の横から見た図、図４(ｃ)は搬送ベルト12と給電部14を記録装置の搬送方向から見た図を示す。
【０００９】
図４(ａ)において２０は複数の電極で構成されるが同じ電位を供給される。２１も同様に複数の電極で構成し、同じ電位を供給されるが２０の電極とは異なる電位を供給される。
【００１０】
この２種類の電極は交互に配置され、一般的には２０の電極には正の電位、２１の電極には負の電位を供給することにより記録媒体を静電吸着させている。
【００１１】
図４(ｂ)および図４(ｃ)の図において１４ａは給電部14は搬送ベルト12の電極20,21に給電を行うブラシ部、１４ｂはブラシを支持および通電する支持部である。
【００１２】
この給電部14は搬送ベルトの両端より異なる電位をそれぞれの電極20,21に給電を行っている。
【００１３】
このようにして記録媒体を搬送ベルトに静電吸着させて搬送させながら記録を行っている。
【００１４】
従来例としては、例えば特許文献１と特許文献２と特許文献３をあげることが出来る。
【特許文献１】特開２０００−１９８５６６号公報
【特許文献２】特開２００２−１９３４７０号公報
【特許文献３】特開平１１−２４５３８９号公報
【発明の開示】
【発明が解決しようとする課題】
【００１５】
しかしながら、静電吸着のための電気力線が吐出中のインクを帯電させ、記録画像を劣化させていた。
【００１６】
図５に電気力線の状態を示す。
【００１７】
図５において１は記録媒体の基体、２は記録媒体の記録層、５は電気力線、６は吐出直後のインクで真下の電極が正の場合、記録紙表面にも正の電位が発生しているため記録紙側がマイナス、記録ヘッド側がプラスに帯電する。７は吐出中の主滴で、吐出直後のインク６がちぎれてマイナスに帯電する。８は吐出中のミストで吐出直後のインク６がちぎれてプラスに帯電している。
【００１８】
尚、ヘッド直下がマイナスの電位の場合には、主滴7はプラスに、ミスト8はマイナスに帯電する。
【００１９】
このように搬送ベルト12の電極20、21からの電気力線5により帯電されたミスト8は電位ゼロの記録ヘッド11に引き寄せられて記録ヘッド11の吐出面に付着し、付着したミストが吐出するインクを阻止したり吐出速度や方向に影響を与え、記録画像の品質を悪化させる問題があった。
【課題を解決するための手段】
【００２０】
本方式によれば、２種類の電位を有する電極を交互に配置する構成の搬送ベルトに記録紙を静電吸着させて搬送を行う記録紙搬送方式において、記録紙に導電層を有することにより、記録媒体から記録ヘッド側への電気力線をシールドし、ミストの帯電を防止出来る。
【００２１】
特に本発明では、搬送ベルトの２種類の電極の電位は、ゼロの電位に対して極性異なる同じ電位差の電位を印加して記録紙の導電層の電位をゼロの電位にすることにより、導電層をグランドに接地すること無くシールドを行うことを特徴とする。
【発明の効果】
【００２２】
ミストの記録ヘッドの吐出面への付着を低減し、画質劣化の進行が低減できる。
【００２３】
また、クリーニング等の処理も少なくできる。
【発明を実施するための最良の形態】
【００２４】
（実施例１）
図１に記録媒体の基体と記録層との間に導電層を有する場合の電気力線の状態を示す。
【００２５】
図１において３が導電層である。
【００２６】
搬送ベルト12の電極20には正の電位、電極21にはゼロ電位に対して同じ電位差の負の電位を供給する。以下、電極20に＋１ｋＶ、電極21には−１ｋＶの場合で説明する。
【００２７】
また、記録媒体ＳＴの導電層3は導電層内で電位のばらつきが発生しないような低い抵抗値の特性を持つ導電層である。
【００２８】
この低抵抗の導電層3の電位は２つの電極の中間の電位は
{（+１ＫＶ）+（−１ＫＶ）}/２＝０
となりゼロの電位となる。
【００２９】
一般的には電気力線をシールドするためは接地を行うことにより導電層の電位をゼロに行う必要があったが、本発明のように中間電位をゼロの電位にすることによって接地を行うこと無くシールドを行うことが特徴である。
【００３０】
この導電層の中間電位は数十ボルト程度有ったとしても、記録品質には影響しない。よって、2つの電極に給電する電源の精度は市販されている電源の精度であれば問題とならない。
【００３１】
以上のことにより搬送ベルトの静電吸着用電極からの電気力線は、記録媒体の導電層にてシールドされ、吐出したインクの帯電防止が行える。
【００３２】
（実施例２）
実施例１において、両面に記録が可能な記録紙の場合を説明する。
【００３３】
図２に記録媒体の基体と２つの記録層との間に導電層を有する場合の電気力線の状態を示す。
【００３４】
実施例１と同様に搬送ベルト12の電極20に＋１ｋＶ、電極21には−１ｋＶを供給した場合で説明する。
【００３５】
また、記録媒体ＳＴの導電層3は導電層内で電位のばらつきが発生しないような低い抵抗値の特性を持つ導電層である。
【００３６】
この２つの導電層3のうち、電極側の導電層の電位は２つの電極の中間の電位
{（+１ＫＶ）+（−１ＫＶ）}/２＝０
となりゼロの電位となる。
【００３７】
このことにより電極からの電気力線は電極側の導電層3にてシールドされ、記録媒体ＳＴの記録ヘッド側への発生を防げるため、インクの帯電防止が行える。
【００３８】
また、導電層を基体と２つの記録層の間の各々に設けることにより、どちらの面でも同様の静電吸着力とシールド効果を得られる。
【図面の簡単な説明】
【００３９】
【図１】実施例１の電気力線の状態図
【図２】実施例２の電気力線の状態図
【図３】装置概要図
【図４】搬送ベルトと給電部の構成図
【図５】従来の電気力線の状態図
【符号の説明】
【００４０】
１  記録媒体の基体
２  記録媒体の記録層
３  記録媒体の導電層
５  電気力線
６  吐出直後のインク
７  吐出中のインクの主滴
８  吐出中のインクのミスト
１１  記録ヘッド
１２  搬送ベルト
１３  搬送ローラ
１４  給電部
２０、２１  搬送ベルトの電極
ＳＴ  記録媒体
【図１】
2007144789.tif 000003
【図２】
2007144789.tif 000004
【図３】
2007144789.tif 000005
【図４】
2007144789.tif 000006
【図５】
2007144789.tif 000007